(57)【要約】      （修正有）【課題】プラグ及びソケットの分離を防止する電気コネクタ組立体を提供する。【解決手段】電気コネクタ組立体１は、穴３、及び穴の一側に配置された第１ラッチ部材４を有するソケット２と、ソケットの穴に挿入され、ソケットの第１ラッチ部材に対応する第２ラッチ部材６を有するプラグ５と、第２ラッチ部材に配置された摺動スロット１３と、プラグの第２ラッチ部材に配置された固定具７とを具備する。プラグがソケットに挿入される際に、固定具は第１及び第２ラッチ部材を相互接続してプラグ及びソケットを共に固定するよう移動可能である。固定具は、プラグ及びソケットを固定解除するよう第１ラッチ部材から離れる方向に摺動スロットに沿って移動可能である。【選択図】図２
0003162759.tif 000002
【実用新案登録請求の範囲】
【請求項１】
穴、及び該穴の一側に配置された第１ラッチ部材を有するソケットと、
前記ソケットの前記穴に挿入され、前記ソケットの前記第１ラッチ部材に対応する第２ラッチ部材を有するプラグと、
前記第２ラッチ部材に配置された摺動スロットと、
前記プラグの前記第２ラッチ部材に配置された固定具と
を具備する電気コネクタ組立体であって、
前記プラグが前記ソケットに挿入される際に、前記固定具は、前記第１ラッチ部材及び前記第２ラッチ部材を相互接続して前記プラグ及び前記ソケットを共に固定するよう移動可能であり、
前記固定具は、前記プラグ及び前記ソケットを固定解除するよう前記第１ラッチ部材から離れる方向に前記摺動スロットに沿って移動可能であることを特徴とする電気コネクタ組立体。
【請求項２】
前記第１ラッチ部材及び前記第２のラッチ部材は、第１突起及び複数の第２突起をそれぞれ有し、
前記固定具が前記第１ラッチ部材の前記第１突起に対応する第１凹部と、前記第２ラッチ部材の前記複数の第２突起に対応する複数の第２凹部とを有することにより、前記プラグ及び前記ソケットを固定又は固定解除する際に、前記固定部は所定位置に維持されることを特徴とする請求項１記載の電気コネクタ組立体。
【考案の詳細な説明】
【技術分野】
【０００１】
本考案は、電気コネクタ組立体に関し、特にプラグ及びソケットを固定及び固定解除するための固定具を具備する電気コネクタ組立体に関する。
【背景技術】
【０００２】
技術の時代に様々な電子製品が開発されると、増大する複雑な使用環境及びより電気的高性能を提供するために、安定性の増大と共に改善された機能を有する電子部品に対する受容が増大している。電子部品を相互接続し且つ電子部品間に信号を伝送する媒体として機能するコネクタの安定性は、電子部品の機能性を決定する際に重要な要素である。さらに、コネクタの組立及び維持に関する便宜も、同様に極めて重要である。
【０００３】
図１２は、従来技術の電気コネクタ２０の概略図である。この電気コネクタ２０は、穴（図示せず）を有するソケット２１と、ソケット２１の穴に挿入されるプラグ２２と、プラグ２２に配置されたプルタブ２３とを具備する。プルタブ２３を引っ張ることにより、ソケット２１からプラグ２２を取り外すことができる。
【先行技術文献】
【特許文献】
【０００４】
【特許文献１】特開２００６−２２８６７２号公報
【考案の概要】
【考案が解決しようとする課題】
【０００５】
この電気コネクタ２０は、保護機構やソケット２１及びプラグ２２の接続状態を固定する部品を有していない。このため、外力や他のファクタにより、ソケット２１及びプラグ２２が分離するおそれがある。従って、本考案は、従来技術の電気コネクタの上述した欠点を克服する電気コネクタを提供することを目的とする。
【課題を解決するための手段】
【０００６】
本考案の一目的は、ソケット及びプラグが第１及び第２のラッチ部材をそれぞれ有し、プラグ及びソケットを固定するため及びプラグ及びソケットを固定解除するために第１及び第２のラッチ部材と平行に移動するよう構成された固定具を有する電気コネクタ組立体を提供することである。
【０００７】
上述の目的を達成するために、本考案は、穴（スロット）、及び穴の一側に配置された第１ラッチ部材を有するソケットと、ソケットの穴に挿入され、ソケットの第１ラッチ部材に対応する第２ラッチ部材を有するプラグと、第２ラッチ部材に配置された摺動スロットと、プラグの第２ラッチ部材に配置された固定具とを具備し、プラグがソケットに挿入される際に、固定具は第１及び第２ラッチ部材を相互接続してプラグ及びソケットを共に固定するよう移動可能であり、固定具は、プラグ及びソケットを固定解除するよう第１ラッチ部材から離れる方向に摺動スロットに沿って移動可能である電気コネクタ組立体を提供する。
【０００８】
好適には、第１及び第２のラッチ部材は、第１突起及び複数の第２突起をそれぞれ有する。固定具は、第１ラッチ部材の第１突起に対応する第１凹部と、第２ラッチ部材の複数の第２突起に対応する複数の第２凹部とを有する。これらにより、プラグ及びソケットを固定又は固定解除する際に、固定部は所定位置に維持される。
【図面の簡単な説明】
【０００９】
【図１】本考案に係る電気コネクタ組立体を示す第１の分解斜視図である。
【図２】本考案に係る電気コネクタ組立体を示す第２の分解斜視図である。
【図３】本考案に係る電気コネクタ組立体の第１組立状態を示す斜視図である。
【図４】固定具を示す斜視図である。
【図５】図３のＡ−Ａ線に沿って断面をとった斜視図である。
【図６】図３のＢ−Ｂ線に沿って断面をとった斜視図である。
【図７】図３のＣ−Ｃ線に沿って断面をとった斜視図である。
【図８】本考案に係る電気コネクタ組立体を示す第２組立状態を示す斜視図である。
【図９】図８のＡ−Ａ線に沿って断面をとった斜視図である。
【図１０】図８のＢ−Ｂ線に沿って断面をとった斜視図である。
【図１１】図８のＣ−Ｃ線に沿って断面をとった斜視図である。
【図１２】従来技術の電気コネクタを示す斜視図である。
【考案を実施するための形態】
【００１０】
以下、添付図面を参照して本考案の好適な実施形態を用いて本考案を説明するが、当業者であれば、本考案に対して様々な変更を加え、本明細書に開示されたものと同じ効果を得ることができることを理解されたい。従って、当業者は、本考案の以下の説明を広く解釈し、本考案は以下の説明に限定されないことを理解されたい。
【００１１】
図１及び図２は、本考案に係る電気コネクタ組立体１のそれぞれ第１及び第２の分解斜視図である。図３は、本考案に係る電気コネクタ組立体１の第１組立状態を示す斜視図である。本考案の本実施形態によれば、穴３、及び穴３の一側に配置された第１ラッチ部材４を有するソケット２と、ソケット２の穴３に挿入され、ソケット２の第１ラッチ部材４に対応する第２ラッチ部材６を有するプラグ５と、プラグ５の第２ラッチ部材６に配置された固定具７と、プラグ５に配置されたプルタブ８とを具備し、プラグ５の第２ラッチ部材６の上面には摺動スロット１３が設けられ、この摺動スロット１３に沿って固定具７が移動できる。
【００１２】
固定具７の斜視図である図４及び図１を参照されたい。固定具７の内側には、第１凹部９及び第２凹部１０が設けられている。さらに、固定具７の上面には、後述するように、矢印の向きに固定具７を移動させることによりソケット２及びプラグ５を共に固定できることを示す記号「Ｌ←」が設けられている。
【００１３】
図５は、図３のＡ−Ａ線に沿って断面をとった斜視図である。図６は、図３のＢ−Ｂ線に沿って断面をとった斜視図である。図７は、図３のＣ−Ｃ線に沿って断面をとった斜視図である。図７を参照すると、第１ラッチ部材４の底面には第１突起１１が設けられ、第２ラッチ部材６の上下面にはそれぞれ２個の第２突起１２及び１個の第２突起１２が設けられている。
【００１４】
図７において、固定具７は、電気コネクタ組立体１の右側に偏っている。図７に示されるように、固定具７の上部の右側の第２凹部１０は第２ラッチ部材６の上面の右側の第２突起１２を受容するのに対し、固定具７の下部の右側の第２凹部１０は第２ラッチ部材６の下面の右側の第２突起１２を受容する。すなわち、固定具７は「固定解除位置」にある。
【００１５】
図８は、本考案に係る電気コネクタ組立体１を示す第２組立状態を示す斜視図である。図８に示されるように、固定具７は、矢印で示される向き（すなわち、左向き）に摺動スロット１３に沿って移動する。図９は、図８のＡ−Ａ線に沿って断面をとった斜視図である。図１０は、図８のＢ−Ｂ線に沿って断面をとった斜視図である。図１１は、図８のＣ−Ｃ線に沿って断面をとった斜視図である。図１１を参照すると、固定具７は、電気コネクタ組立体１の左側に偏っている。図１１に示されるように、固定具７の上部の左側の第２凹部１０は第２ラッチ部材６の上面の左側の第２突起１２を受容するのに対し、固定具７の下部の左側の第１凹部９は第１ラッチ部材４の下面の左側の第１突起１１を受容する。すなわち、固定具７は「固定位置」にある。
【００１６】
プラグ５がソケット２に挿入されると、固定具７は左向き（すなわち、第１ラッチ部材４への向き）に摺動スロット１３に沿って固定位置まで移動でき、これにより、プラグ５及びソケット２を共に固定する。固定具７が右向き（すなわち、第１ラッチ部材４から離れる向き）に摺動スロット１３に沿って固定解除位置まで移動すると、プルタブ８を引っ張ることにより、プラグ５をソケット２から取り外すことができる。
【００１７】
本考案の利点は、第１ラッチ部材４及び第２ラッチ部材６と平行に固定具７を移動することにより、プラグ５及びソケット２を共に固定し、又は分離するために固定解除することができる。
【００１８】
目下のところ最良且つ好適な実施形態に関して本考案を説明したが、本考案はこれらに限定するものと理解すべきでない。当業者であれば、本考案の真髄及び範囲から逸脱することなく、種々の変形、変更が可能である。
【符号の説明】
【００１９】
１    電気コネクタ組立体
２    ソケット
３      穴
４      第１ラッチ部材
１１    第１突起
５    プラグ
６      第２ラッチ部材
１２    第２突起
１３    摺動スロット
７    固定具
９      第１凹部
１０    第２凹部
【図１】
0003162759.tif 000003
【図２】
0003162759.tif 000004
【図３】
0003162759.tif 000005
【図４】
0003162759.tif 000006
【図５】
0003162759.tif 000007
【図６】
0003162759.tif 000008
【図７】
0003162759.tif 000009
【図８】
0003162759.tif 000010
【図９】
0003162759.tif 000011
【図１０】
0003162759.tif 000012
【図１１】
0003162759.tif 000013
【図１２】
0003162759.tif 000014